(57)【要約】      （修正有）【課題】犬や猫などの愛玩動物の遺体を納める愛玩動物用棺において、高級感を維持しつつ価格を抑えると共に、断熱性を兼ね備えることのできる愛玩動物用棺を構成し、更には装飾性を備えたメモリアルプレートとして利用することのできる、愛玩動物用棺蓋を提供する。【解決手段】愛玩動物用棺の上面寸法と略同一寸法を有した発泡合成樹脂板において、その長辺方向の表面上部には遺体を覗くための窓を開けた窓枠２と、窓枠２の下部にフラワーアレンジメント９を配置するための保持手段とを具備し、裏面辺縁部には蓋１が愛玩動物用棺より外れるのを防止するための保持枠６を具備して構成し、窓枠２の表面端部において、窓枠２内に写真フレーム７を配置した際の脱落を防止するための突起４を複数個所に形成する。【選択図】図１
0003210574.tif 000002
【実用新案登録請求の範囲】
【請求項１】
愛玩動物用棺の上面寸法と略同一寸法を有した発泡合成樹脂板において、その長辺方向の表面上部には遺体を覗くための窓を開けた窓枠と、該窓枠の下部にフラワーアレンジメントを配置するための保持手段とを具備し、裏面辺縁部には蓋が愛玩動物用棺より外れるのを防止するための保持枠を具備して構成することを特徴とした、愛玩動物用棺蓋。
【請求項２】
窓枠の表面端部において、該窓枠内に写真フレームを配置した際の脱落を防止するための突起を複数個所に形成することを特徴とした、請求項１に記載の愛玩動物用棺蓋。
【考案の詳細な説明】
【技術分野】
【０００１】  本考案は、犬や猫などの愛玩動物の遺体を納める愛玩動物用棺に関し、特に該愛玩動物用棺の上面に被せる蓋に関するものである。
【背景技術】
【０００２】  近年、犬や猫などの愛玩動物を家族の一員として愛情を持って接することが多くなり、該愛玩動物が死亡した際においても人間と同様に供養することが増えている。既に愛玩動物専用の葬儀場も各地にあり、火葬や法要が営まれている。前記火葬を行う際においては、犬や猫などの愛玩動物の遺体を愛玩動物用棺に納めて花や思い出の品などで飾り付け、更にドライアイスを入れた後に蓋をして棺ごと焼却している。【０００３】  上記愛玩動物用棺は、一般的に木材特に桐材や段ボール及び発泡合成樹脂などを材料として構成される。本願出願人においても、実用新案登録第３１８５４３１号公報の考案の名称「愛玩動物用棺」において、発泡合成樹脂板で構成する愛玩動物用棺を提案した。【０００４】
【特許文献１】実用新案登録第３１８５４３１号
【考案の開示】
【考案が解決しようとする課題】
【０００５】  上記犬や猫などの愛玩動物の遺体を納めた愛玩動物用棺を火葬する場合、人間の場合と同様に棺ごと焼却して行うことになるが、該棺が段ボールや発泡合成樹脂で構成されたものは焼却時において焼却炉に悪影響を与えたり燃え切らない灰などのカスが残ってしまうという問題点があった。【０００６】  また、木材特に桐製の棺は焼却時における問題点はないものの高価であり、段ボール製の棺は安価ではあるが高級感に乏しく断熱性にも劣るという欠点があった。【０００７】  本考案は、上記の問題点や欠点を解決するために成されたものであり、犬や猫などの愛玩動物の遺体を納める愛玩動物用棺において、高級感を維持しつつ価格を抑えると共に、断熱性を兼ね備えることのできる愛玩動物用棺を構成し、更には装飾性を備えたメモリアルプレートとして利用することのできる、愛玩動物用棺蓋を提供することを目的とする。
【課題を解決するための手段】
【０００８】  上記課題を解決するため、本考案の愛玩動物用棺蓋は、愛玩動物用棺の上面寸法と略同一寸法を有した発泡合成樹脂板において、その長辺方向の表面上部には遺体を覗くための窓を開けた窓枠と、該窓枠の下部にフラワーアレンジメントを配置するための保持手段とを具備し、裏面辺縁部には蓋が愛玩動物用棺より外れるのを防止するための保持枠を具備して構成し、
上記窓枠の表面端部において、該窓枠内に写真フレームを配置した際の脱落を防止するための突起を複数個所に形成する。
【考案の効果】
【０００９】  本考案の愛玩動物用棺蓋において、木材特に桐材で構成した棺本体の上面に上述の発泡合成樹脂製の蓋を被せて愛玩動物用棺として構成したことにより、法要時においては当該発泡合成樹脂製の蓋をした状態で行い、火葬時においては蓋を外した状態で行うことにより、高級感を維持しつつ価格が抑えられると共に、断熱性を兼ね備えた愛玩動物用棺が構成され、取り外した蓋は装飾性を備えたメモリアルプレートとして利用することのできるという効果を奏する。
【考案を実施するための最良の形態】
【００１０】  本考案を実施するための最良の形態を図を用いて説明する。図２は本考案の愛玩動物用棺蓋の一実施例の外形図であり、（ａ）は正面図、（ｂ）は側面図である。該図に示すように、本考案の愛玩動物用棺蓋１は、愛玩動物用棺（図示せず）の上面寸法と略同一寸法を有した発泡合成樹脂板において、その長辺方向の表面上部には遺体を覗くための窓３を開けた窓枠２と、該窓枠２の下部にフラワーアレンジメントを配置するための保持手段を具備する。該図における保持手段は、フラワーアレンジメントを構成するフラワーポットを入れて保持するための保持溝５を形成している。更に裏面辺縁部には蓋１が愛玩動物用棺より外れるのを防止するための保持枠６を具備して構成する。また、上記窓枠２の表面端部において、該窓枠２内に写真フレームを配置した際の脱落を防止するための突起４を複数個所に形成する。【００１１】  上記の愛玩動物用棺蓋１を構成する発泡合成樹脂板の厚さは３０ｍｍ〜４０ｍｍが好適であるが特に限定するものではない。また保持枠６の厚さは１０ｍｍ程度が好適であるがこれも特に限定するものではない。【００１２】  また、上記の愛玩動物用棺蓋１の表面及び裏面には専用塗料にてシボ塗装などの模様塗装を行うことにより、強度と装飾性に優れて好適となる。【００１３】  図１は本考案の愛玩動物用棺蓋に装飾品を取り付けた状態の一実施例の外形図であり、（ａ）は正面図、（ｂ）は側面図である。該図に示すように、火葬時に取り外しておいた愛玩動物用棺蓋１において、窓枠２の内部に愛玩動物の写真８を入れた写真フレーム７を入れて配置する。この時、窓枠２の表面端部の複数個所に突起４が形成されているため、該窓枠２より写真フレーム７が脱落することはない。また、半球状のフラワーポット１０の開口部に造花やプリザーブドフラワーなどの花１１を入れてアレンジしたフラワーアレンジメント９を保持溝５に入れて設置する。この時、フラワーポット１０の裏面に両面テープや面ファスナーなどを貼って面着しておけば、該保持溝５よりフラワーアレンジメント９が脱落することはない。また、写真フレーム７を入れて配置した窓枠２の下部に愛玩動物の名前を入れたネームプレート１２を貼っておけば更に好適となる。【００１４】  図３はフラワーアレンジメントの他の保持方法を示した図であり、（ａ）は正面図、（ｂ）は側面図である。該図に示すように、フラワーアレンジメント９の配置部１４内の上部にピン１３を固定し、前記フラワーポット１０の裏面にある穴（図示せず）内に当該ピン１３を挿入する方法によれば、愛玩動物用棺蓋１に保持溝５を形成することなく保持することができる。なお、フラワーアレンジメント９の愛玩動物用棺蓋１への保持方法はどのような方法でもよく、他には愛玩動物用棺蓋１にポケット状の溝を形成しておき、該溝内にフラワーアレンジメント９を入れるようにした方法であっても構わない。【００１５】  上記のようにして装飾した愛玩動物用棺蓋１は、メモリアルプレートとして飾っておくことにより、犬や猫などの愛玩動物の思い出をいつまでも心に留めておくことができることになる。また、木材特に桐製の愛玩動物用棺にあっては、愛玩動物用棺蓋１を発泡合成樹脂製とした分、高級感を維持しつつ価格を抑えることができ、更には断熱性も向上することになる。
【図面の簡単な説明】
【００１６】
【図１】本考案の愛玩動物用棺蓋に装飾品を取り付けた状態の一実施例の外形図である。
【図２】本考案の愛玩動物用棺蓋の一実施例の外形図である。
【図３】フラワーアレンジメントの他の保持方法を示した図である。
【符号の説明】
【００１７】    １  愛玩動物用棺蓋
２  窓枠
３  窓
４  突起
５  保持溝
６  保持枠
７  写真フレーム
８  写真
９  フラワーアレンジメント
１０  フラワーポット
１１  花
１２  ネームプレート
１３  ピン
１４  配置部
【図１】
0003210574.tif 000003
【図２】
0003210574.tif 000004
【図３】
0003210574.tif 000005